(57)【要約】【課題】パイプをコンパクトに収納できる接続具を提供することにある。【解決手段】筒状本体１０と、前記筒状本体１０の下端部に嵌合した下方パイプ１１と、前記筒状本体１０の上端部に螺合したナット１２と、前記筒状本体１０内に挿入されるとともに、前記下方パイプ１１内に収納可能な上方パイプ１３とからなる接続具１である。そして、前記ナット１２を緩めて前記筒状本体１０から前記上方パイプ１３を引き出すとともに、前記ナット１２を締め付けて前記上方パイプ１３を前記筒状本体１０に固定する。【選択図】図１１
0003137855.tif 000002
【実用新案登録請求の範囲】
【請求項１】
筒状本体と、前記筒状本体の下端部に嵌合した下方パイプと、前記筒状本体の上端部に螺合したナットと、前記筒状本体内に挿入されるとともに、前記下方パイプ内に収納可能な上方パイプとからなり、前記ナットを緩めて前記筒状本体から前記上方パイプを引き出すとともに、前記ナットを締め付けて前記上方パイプを前記筒状本体に固定することを特徴とする接続具。
【請求項２】
筒状本体の外周面に、パイプを嵌合して接続できるように接続受け部を突設したことを特徴とする請求項１に記載の接続具。
【請求項３】
筒状本体の下端部に設けた抜け止め孔に、上方パイプの下端部外周面から突出する弾性係止突部を係合して抜け止めすることを特徴とする請求項１または２に記載の接続具。
【請求項４】
筒状本体の下端部に、抜け止め孔から突出する弾性係止突部を被覆するように筒状カバーを脱着可能にスライド嵌合したことを特徴とする請求項３に記載の接続具。
【考案の詳細な説明】
【技術分野】
【０００１】
本考案は接続具、例えば、ジャングルジムを構成するパイプをコンパクトに収納できる接続具に関する。
【背景技術】
【０００２】
従来、ジャングルジムを構成するための接続具としては、例えば、複数本のパイプを連結してジャングルジムを構成する接続具がある（非特許文献１の参考図参照）。
【非特許文献１】意匠登録第１２７５７３３号公報
【考案の開示】
【考案が解決しようとする課題】
【０００３】
しかしながら、前述の接続具では、複数本の連結したパイプを偏平に折り畳むことはできるが、コンパクトに収納できないという問題点がある。
【０００４】
本考案は、前記問題点に鑑み、パイプをコンパクトに収納できる接続具を提供することを課題とする。
【課題を解決するための手段】
【０００５】
本考案にかかる接続具は、前記課題を解決すべく、筒状本体と、前記筒状本体の下端部に嵌合した下方パイプと、前記筒状本体の上端部に螺合したナットと、前記筒状本体内に挿入されるとともに、前記下方パイプ内に収納可能な上方パイプとからなり、前記ナットを緩めて前記筒状本体から前記上方パイプを引き出すとともに、前記ナットを締め付けて前記上方パイプを前記筒状本体に固定する構成としてある。
【考案の効果】
【０００６】
本考案によれば、上方パイプを下方パイプ内に収納できるので、コンパクトに収納できる接続具が得られるという効果がある。
【０００７】
本考案にかかる実施形態としては、筒状本体の外周面に、パイプを嵌合して接続できるように接続受け部を突設しておいてもよい。
【０００８】
また、他の実施形態としては、筒状本体の下端部に設けた抜け止め孔に、上方パイプの下端部外周面から突出する弾性係止突部を係合して抜け止めしておいてもよい。
【０００９】
さらに、別の実施形態としては、筒状本体の下端部に、抜け止め孔から突出する弾性係止突部を被覆するように筒状カバーを脱着可能にスライド嵌合してもよい。
【考案を実施するための最良の形態】
【００１０】
本考案にかかる接続具の実施形態は、図１ないし図１６に示すように、室内用滑り台に適用した場合である。
【００１１】
本実施形態にかかる室内用滑り台は、図１２ないし図１６に示すように、複数本のパイプを本願考案の接続具１（図１６参照）を介して組み立てたジャングルジム２と、折り畳み可能な滑り台３とで構成されている。
【００１２】
前記接続具１は、図１ないし図１１に示すように、筒状本体１０と、前記筒状本体１０の下端部に嵌合した下方パイプ１１と、前記筒状本体１０の上端部に螺合したナット１２と、前記筒状本体１０内に挿入されるとともに、前記下方パイプ１１内に収納可能な上方パイプ１３と、で構成されている。
【００１３】
前記筒状本体１０の外周面には、他のパイプを嵌合して接続できる接続受け部１４，１５が相互に直交するように突設してある。また、図１１に示すように、前記筒状本体１０の下端部には抜け止め孔１６および環状係止溝１９を設けてある。
【００１４】
前記上方パイプ１３は、その下端部外周面から前記抜け止め孔１６に係合可能な弾性係止突部１７が突出している。そして、筒状カバー１８は、前記筒状本体１０の環状係止溝１９に脱着可能にスライド嵌合することにより、前記抜け止め孔１６に係合する前記上方パイプ１３の弾性係止突部１７を被覆する。
【００１５】
そして、前記ナット１２を緩めて前記筒状本体１０から前記上方パイプ１３を引き出すと、前記弾性係止突部１７が前記筒状本体１０の抜け止め孔１６に係合して抜け止めされ、ロック状態となる。そして、前記ナット１２を締め付けることにより、前記上方パイプ１３が前記筒状本体１０に固定される。
【００１６】
本実施形態によれば、例えば、図１５に示すように、圧縮や捩れに強い堅固な構造を有するジャングルジムが得られるという利点がある。
【００１７】
前記上方パイプ１３を前記下方パイプ１１内に収納する場合には、前記ナット１２を緩める。そして、前記筒状カバー１８を引き下げて露出する前記抜け止め孔１６から前記弾性係止突部１７を前記筒状本体１０内に押し込み、ロック状態を解除しつつ、前記上方パイプ１３を下方パイプ１１内に押し込んで収納する。
【００１８】
本実施形態によれば、図１２に示すように、コンパクトに収納できるだけでなく、図１３および図１４に示すように、上方パイプ１３を下方パイプ１１内に収納しても、ジャグルジム２および滑り台３を使用でき、多種多様な形状で使用できるという利点がある。
【産業上の利用可能性】
【００１９】
本考案は室内用滑り台のジャングルジムのパイプだけでなく、他のパイプにも適用できる。
【図面の簡単な説明】
【００２０】
【図１】本考案に係る接続具の実施形態を示す斜視図である。
【図２】図１で示した接続具の正面図である。
【図３】図１で示した接続具の左側面図である。
【図４】図１で示した接続具の右側面図である。
【図５】図１で示した接続具の平面図である。
【図６】図１で示した接続具の底面図である。
【図７】図１で示した接続具の背面図である。
【図８】図１で示した接続具の使用状態を示す斜視図である。
【図９】図１で示した接続具の使用状態を示す正面図である。
【図１０】図１で示した接続具の使用状態を示す右側面図である。
【図１１】図１で示した接続具の調整方法を示す正面図である。
【図１２】図１で示した接続具の使用状態を示す斜視図である。
【図１３】図１で示した接続具の使用状態を示す他の斜視図である。
【図１４】図１で示した接続具の使用状態を示す別の斜視図である。
【図１５】図１で示した接続具の使用状態を示す異なる斜視図である。
【図１６】図１で示した接続具の使用状態を示す部分拡大斜視図である。
【符号の説明】
【００２１】
１：接続具
２：ジャングルジム
３：滑り台
１０：筒状本体
１１：下方パイプ
１２：ナット
１３：上方パイプ
１４，１５：接続受け部
１６：抜け止め孔
１７：弾性係止突部
１８：筒状カバー
１９：係止溝
【図１】
0003137855.tif 000003
【図２】
0003137855.tif 000004
【図３】
0003137855.tif 000005
【図４】
0003137855.tif 000006
【図５】
0003137855.tif 000007
【図６】
0003137855.tif 000008
【図７】
0003137855.tif 000009
【図８】
0003137855.tif 000010
【図９】
0003137855.tif 000011
【図１０】
0003137855.tif 000012
【図１１】
0003137855.tif 000013
【図１２】
0003137855.tif 000014
【図１３】
0003137855.tif 000015
【図１４】
0003137855.tif 000016
【図１５】
0003137855.tif 000017
【図１６】
0003137855.tif 000018